(57)【要約】      （修正有）【課題】ユーザが瞬間的に電源スイッチのオフ／オンを行っても装置の誤動作を防ぎ、適切に装置の再起動動作が可能な瞬断保護機能を備えた電子機器、画像形成装置、多機能プリンタ装置、及び電子機器の制御方法を提供する。【解決手段】交流電源の供給を制御する電源スイッチの前後にゼロクロス検知部を備え、ユーザが電源スイッチ操作を素早くオフ／オンした時に検出されるゼロクロス検知信号の差分に基いてＳ１０３、Ｓ１０４、リセット信号を出力してＳ１０７装置を再起動するＳ１０８。これにより、ユーザの意図に沿った動作をすることが可能になる。【選択図】図３
2016010061.tif 000002
【特許請求の範囲】
【請求項１】
交流電源からの電力によって動作し、前記交流電源からの瞬断に対応するため蓄電を行い、前記瞬断が発生したときに電力を供給する瞬断保護手段を備えた電子機器であって、
前記交流電源からの電力供給をオン／オフする電源スイッチと、
前記交流電源からみて、前記電源スイッチの前段に設けられ、前記交流電源からの交流電圧のゼロクロスを検知する第１の検知手段と、
前記交流電源からみて、前記電源スイッチの後段に設けられ、前記交流電源からの交流電圧のゼロクロスを検知する第２の検知手段と、
前記第１の検知手段により検知された第１のゼロクロス検知信号と、前記第２の検知手段により検知された第２のゼロクロス検知信号とを比較する第１の比較手段と、
前記第１の比較手段による比較結果に従って、前記電子機器の再起動を行うリセット手段とを有することを特徴とする電子機器。
【請求項２】
前記第１の比較手段による比較結果に基いて、ユーザが前記電源スイッチをオフ／オンした結果として前記電力供給が切断されたのか、又は、前記交流電源の瞬断により前記電力供給が切断されたのかを判断する判断手段と、
前記判断手段により前記ユーザが前記電源スイッチをオフ／オンしたことにより前記電力供給が切断されたと判断された場合には、前記リセット手段により前記電子機器の再起動を行い、前記判断手段により前記交流電源の瞬断により前記電力供給が切断されたと判断された場合には、前記リセット手段により前記電子機器の再起動を行わないよう制御する制御手段とをさらに有することを特徴とする請求項１に記載の電子機器。
【請求項３】
前記第１の比較手段は、前記ユーザが前記電源スイッチをオフ／オンしたことにより前記電力供給が切断されたと判断された場合には、前記第１のゼロクロス検知信号と前記第２のゼロクロス検知信号との間に差分が発生することを示し、前記判断手段により前記交流電源の瞬断により前記電力供給が切断されたと判断された場合には、記第１のゼロクロス検知信号と前記第２のゼロクロス検知信号との間に差分が発生しないことを示す比較結果信号を出力することを特徴とする請求項２に記載の電子機器。
【請求項４】
前記比較結果信号が前記第１のゼロクロス検知信号と前記第２のゼロクロス検知信号との間に差分が発生することを示す回数をカウントする第１のカウント手段と、
前記第１のカウント手段によりカウントされた回数を予め定められた第１の閾値と比較する第２の比較手段とをさらに有し、
前記制御手段は、前記第２の比較手段の比較により前記カウントされた回数が前記予め定められた第１の閾値以上である場合には、前記リセット手段により前記電子機器の再起動を行い、前記前記第２の比較手段の比較により前記カウントされた回数が前記予め定められた第１の閾値未満である場合には、前記リセット手段により前記電子機器の再起動を行わないよう制御することを特徴とする請求項３に記載の電子機器。
【請求項５】
前記第１の閾値を設定する第１の設定手段をさらに有することを特徴とする請求項４に記載の電子機器。
【請求項６】
前記比較結果信号が前記第１のゼロクロス検知信号と前記第２のゼロクロス検知信号との間に差分が発生することを示す時間をカウントする第２のカウント手段と、
前記第２のカウント手段によりカウントされた時間を予め定められた第２の閾値と比較する第２の比較手段とをさらに有し、
前記制御手段は、前記第２の比較手段の比較により前記カウントされた時間が前記予め定められた第２の閾値以上である場合には、前記リセット手段により前記電子機器の再起動を行い、前記前記第２の比較手段の比較により前記カウントされた時間が前記予め定められた第２の閾値未満である場合には、前記リセット手段により前記電子機器の再起動を行わないよう制御することを特徴とする請求項３に記載の電子機器。
【請求項７】
前記第２の閾値を設定する第２の設定手段をさらに有することを特徴とする請求項６に記載の電子機器。
【請求項８】
前記瞬断保護手段はコンデンサ、又は、無停電電源（ＵＰＳ）を含むことを特徴とする請求項１乃至７のいずれか１項に記載の電子機器。
【請求項９】
請求項１乃至８のいずれか１項に記載の電子機器と、
前記交流電源からの電力供給によって動作し、入力された画像信号に従って、記録媒体に画像を形成する画像形成手段とを有することを特徴とする画像形成装置。
【請求項１０】
前記画像形成手段は、電子写真方式に従って、前記記録媒体にトナー像を形成することを特徴とする請求項９に記載の画像形成装置。
【請求項１１】
請求項９又は１０に記載の画像形成装置と、
画像原稿から画像を読み取る読み取り手段とを有することを特徴とする多機能プリンタ装置。
【請求項１２】
交流電源からの電力供給を電源スイッチによってオン／オフし、前記交流電源からの電力によって動作し、前記交流電源からの瞬断に対応するため蓄電を行い、前記瞬断が発生したときに電力を供給する瞬断保護手段を備えた電子機器の制御方法であって、
前記交流電源からみて、前記電源スイッチの前段に設けられた第１の検知回路により、前記交流電源からの交流電圧のゼロクロスを検知する第１の検知工程と、
前記交流電源からみて、前記電源スイッチの後段に設けられた第２の検知回路により、前記交流電源からの交流電圧のゼロクロスを検知する第２の検知工程と、
前記第１の検知工程において検知された第１のゼロクロス検知信号と、前記第２の検知工程において検知された第２のゼロクロス検知信号とを比較する比較工程と、
前記比較工程における比較結果に従って、前記電子機器の再起動を行うよう制御する制御工程とを有することを特徴とする制御方法。
【発明の詳細な説明】
【技術分野】
【０００１】
本発明は電子機器、画像形成装置、多機能プリンタ装置、及び電子機器の制御方法に関し、特に、例えば、電子写真方式に従って画像を形成する、例えば、複写機及びプリンタ等の画像形成装置、多機能プリンタ装置、及びその制御方法に関する。
【背景技術】
【０００２】
一般的な複写機、ファクシミリ、プリンタなどの画像形成装置においては、交流電源の瞬断が発生したり、電力供給が低下した際、装置を動作させる電力が不足してしまうためその動作が強制的に停止されることがある。
【０００３】
この問題に対処するため、従来より、電源スイッチの後にゼロクロス検出部を備え、ゼロクロス検出部から出力されるパルス列の抜けを検知し、その抜けが電源の瞬断によるものか否かを判断する構成が採用されている。そして、その判断に従って、電力供給を保持するか、または電源オフを指示する信号を出力するようにしている。このため、瞬断が発生しても装置が強制的に停止されず、動作を継続させることができる。
【先行技術文献】
【特許文献】
【０００４】
【特許文献１】特開平７−１５２９５３号公報
【発明の概要】
【発明が解決しようとする課題】
【０００５】
上記従来例では、電源オフする瞬断や停電の発生を判断することは可能だが、その電源オフがユーザ操作によるものであるかどうかは判断することができない。そのため、装置動作に異常が発生し、電源オフ／オンによる操作により装置を再起動することでしか、その異常を解消することができない場合、ユーザが電源スイッチのオフ／オンを切り替え操作を行わざるを得ない。
【０００６】
しかしながら、この操作を瞬断と判断されるほど短時間の間に行うと、装置は瞬断が発生した場合と同様の処理を行ってしまうので、装置の状態がリセットされず、ユーザの意図に沿わない動作が発生してしまうという問題が生じてしまう。
【０００７】
本発明は上記従来例に鑑みてなされたもので、ユーザ操作による素早いスイッチ操作に追従し、ユーザの意図に沿った動作が可能な瞬断保護機能を備えた電子機器、画像形成装置、多機能プリンタ装置、及び電子機器の制御方法を提供することを目的としている。
【課題を解決するための手段】
【０００８】
上記目的を達成するために本発明の電子機器は次のような構成からなる。
【０００９】
即ち、交流電源からの電力によって動作し、前記交流電源からの瞬断に対応するため蓄電を行い、前記瞬断が発生したときに電力を供給する瞬断保護手段を備えた電子機器であって、前記交流電源からの電力供給をオン／オフする電源スイッチと、前記交流電源からみて、前記電源スイッチの前段に設けられ、前記交流電源からの交流電圧のゼロクロスを検知する第１の検知手段と、前記交流電源からみて、前記電源スイッチの後段に設けられ、前記交流電源からの交流電圧のゼロクロスを検知する第２の検知手段と、前記第１の検知手段により検知された第１のゼロクロス検知信号と、前記第２の検知手段により検知された第２のゼロクロス検知信号とを比較する第１の比較手段と、前記第１の比較手段による比較結果に従って、前記電子機器の再起動を行うリセット手段とを有することを特徴とする。
【００１０】
また、本発明を別の側面から見れば、上記構成の電子機器と、前記交流電源からの電力供給によって動作し、入力された画像信号に従って、記録媒体に画像を形成する画像形成手段とを有することを特徴とする画像形成装置を備える。
【００１１】
さらに、本発明を別の側面から見れば、上記構成の画像形成装置と、画像原稿から画像を読み取る読み取り手段とを有することを特徴とする多機能プリンタ装置を備える。
【００１２】
またさらに、本発明を別の側面から見れば、交流電源からの電力供給を電源スイッチによってオン／オフし、前記交流電源からの電力によって動作し、前記交流電源からの瞬断に対応するため蓄電を行い、前記瞬断が発生したときに電力を供給する瞬断保護手段を備えた電子機器の制御方法であって、前記交流電源からみて、前記電源スイッチの前段に設けられた第１の検知回路により、前記交流電源からの交流電圧のゼロクロスを検知する第１の検知工程と、前記交流電源からみて、前記電源スイッチの後段に設けられた第２の検知回路により、前記交流電源からの交流電圧のゼロクロスを検知する第２の検知工程と、前記第１の検知工程において検知された第１のゼロクロス検知信号と、前記第２の検知工程において検知された第２のゼロクロス検知信号とを比較する比較工程と、前記比較工程における比較結果に従って、前記電子機器の再起動を行うよう制御する制御工程とを有することを特徴とする制御方法を備える。
【発明の効果】
【００１３】
従って本発明によれば、ユーザが素早い電源スイッチのオフ／オン操作をしても、適切に機器を再起動させることができるという効果がある。
【図面の簡単な説明】
【００１４】
【図１】本発明の代表的な実施例であるに多機能プリンタ（ＭＦＰ）装置の構成を示す側断面図である。
【図２】図１に示すＭＦＰ装置１００の電源回路の構成を示すブロック図である。
【図３】実施例１に従う電源スイッチのオン／オフ制御を示すフローチャートである。
【図４】実施例１に従って動作する電源回路の各部の信号を示すタイムチャートである。
【図５】実施例２に従う電源スイッチのオン／オフ制御を示すフローチャートである。
【図６】実施例２に従って動作する電源回路の各部の信号を示すタイムチャートである。
【図７】実施例３に従う電源スイッチのオン／オフ制御を示すフローチャートである。
【図８】実施例３に従って動作する電源回路の各部の信号を示すタイムチャートである。
【発明を実施するための形態】
【００１５】
以下添付図面を参照して本発明の好適な実施例について、さらに具体的かつ詳細に説明する。
【００１６】
なお、この明細書において、「記録媒体」とは、一般的な記録装置で用いられる紙のみならず、広く、布、プラスチック・フィルム、金属板、ガラス、セラミックス、木材、皮革等、トナーを受容可能なものも表すものとする。
【００１７】
図１は本発明の代表的な実施例である多機能プリンタ装置（以下、ＭＦＰ装置）１００の構成を示す側断面図である。
【００１８】
ＭＦＰ装置１００は電子写真方式に従って画像形成を行うプリンタユニット（画像形成装置）１０１と画像原稿の読み取りを行うリーダユニット１２０と読取原稿の給紙と搬送を行うＡＤＦユニット１３０とで構成される。
【００１９】
プリンタユニット１０１は記録媒体である記録紙１０９を収納するカセット１０３と記録紙やＯＨＰなどを手差し給紙する手差しトレイ１０２を備える。これに加えて、オプションとして別のカセット１１１を装着することもできる。カセット１１１にはカセット１０３と同じサイズの記録紙を収納しても良いし、別のサイズの記録紙を収納しても良い。
【００２０】
さて、これらのカセット又は手差しトレイから給紙された記録紙１０９は、給紙ローラ対１０３Ａ、１０３Ｂ、１０３Ｃにより搬送され、感光体ドラム１０４と転写ローラ１０５とのニップ部に達する。
【００２１】
一方、光学ユニット１０６では画像信号に応じて変調され、半導体レーザから発したビーム光で帯電された感光体ドラム１０４を露光走査して静電潜像を形成する。一方、転写ローラ１０５には感光体ドラム１０４とは逆極性の転写バイアスが印加されることで、感光体ドラム１０４上に形成された静電潜像が現像されトナー像となり、その像がニップ部まで搬送されてきた記録紙に静電転写される。
【００２２】
その後、トナー像が転写された記録紙は定着ユニット１０７まで搬送され、定着ローラ１０８により、そのトナー像が加圧定着される。その後、その記録紙は排紙ローラ対１０８Ａにより排紙されるか、搬送ローラ対１０８Ｂ、１０８Ｃにより装置内の搬送路へと誘導されて、記録紙の表裏が反転され、両面印刷に備える。
【００２３】
なお、光学ユニット１０６に入力される画像信号は、ＡＤＦユニット１３０から給紙搬送された画像原稿をリーダユニット１２０により光学的に読取って生成されるか、或いは、ＭＦＰ装置に接続されたホスト装置（不図示）から転送されても良い。
【００２４】
ＡＤＦユニット１３０やリーダユニット１２０を用いた画像読取操作、或いは、プリンタユニット１０１も関与する複写操作は、ユーザが操作パネル１１０を操作することによりなされる。
【００２５】
図２は図１に示すＭＦＰ装置１００の電源回路の構成を示すブロック図である。
【００２６】
この図が示すように、交流電源２０２と電源スイッチ２０３の間（即ち、電源スイッチの前段）と、電源スイッチ２０３の後段とに、それぞれ、ゼロクロス検知部（検知回路）２０４、２０５を設ける。そして、２つのゼロクロス検知部２０４、２０５それぞれからのゼロクロス検知信号Ｚ１、Ｚ２はゼロクロス比較部２０６に出力される。ゼロクロス比較部２０６は２つのゼロクロス検知信号Ｚ１、Ｚ２を比較し、その比較結果に従って、リセット信号（ＲＥＳＥＴ）を制御部２０７に出力する。
【００２７】
制御部２０７はＭＦＰ装置１００の各部を制御して画像形成、画像読取などを実行させる。制御部２０７の内部にはＭＰＵ、ＡＳＩＣ、ＲＯＭ、ＲＡＭなどが備えられている。
【００２８】
電源スイッチ（ＳＷ）２０３から入力された交流電源は、ＡＣドライバ２０８に交流（ＡＣ）のまま入力され、定着器を動作させるためなどに用いられる。一方、その交流電源は、平滑コンデンサ２０１を含む整流回路を経て直流（ＤＣ）に変換され、低圧電源部２０９に入力される。低圧電源部２０９は、ＤＣ／ＤＣコンバータを備え、装置各部の電子回路にその駆動電圧を供給する。
【００２９】
次に、以上の構成のＭＦＰ装置が実行する電源スイッチのオン／オフ制御に関するいくつかの実施例について説明する。特に、以下の実施例では、ユーザがＭＦＰ装置が動作中に電源スイッチ（ＳＷ）２０３をオフ／オンした場合と瞬断が発生した場合の動作について説明する。
【実施例１】
【００３０】
図３は実施例１に従う電源スイッチのオン／オフ制御を示すフローチャートである。ここでは、ＭＦＰ装置１００に交流電源を供給するために、交流電源２０２のコンセント（不図示）にＭＦＰ装置１００の電源プラグが差し込まれているとする。
【００３１】
図４は電源回路の各部の信号を示すタイムチャートである。
【００３２】
図４では、交流電源２０２から供給される交流電圧（ＡＣ）とゼロクロス検知信号（Ｚ１、Ｚ２）と、ゼロクロス比較部２０６の差分（ＺＣＭＰ：｜Ｚ１−Ｚ２｜）とリセット信号（ＲＥＳＥＴ）と平滑コンデンサ２０１の電圧（ＰＣ）の時間変化を示している。この差分（ＺＣＭＰ）は比較結果信号ともいう。
【００３３】
まず、ステップＳ１０１では、ユーザは電源スイッチ２０３をオンにする。次に、ステップＳ１０３では、この状態から、ゼロクロス検知部（前）２０４とゼロクロス検知部（後）２０５を用いて、電源スイッチ２０３の前後のゼロクロス検知信号（Ｚ１，Ｚ２）を検出する。そして、ステップＳ１０４では、ゼロクロス比較部２０６の差分（ＺＣＭＰ）がゼロであるかどうかを調べる。
【００３４】
図４に示すように、例えば、ｔ＝Ｔ１〜Ｔ２のように瞬断時間が長い場合、蓄電された平滑コンデンサ２０１が放電し切り、装置の動作を維持するだけの電力供給を行うことができない。このように、瞬断が発生し電圧供給不足になった場合、ゼロクロス検知部（前）２０４とゼロクロス検知部（後）２０５夫々からゼロクロス検知信号（Ｚ１，Ｚ２）は出力されず、その結果として、ゼロクロス比較部２０６での差分も生じない。従って、ユーザが電源スイッチを切り替えたとは判断されず、ＭＦＰ装置１００は瞬断時の対応を適切にとることができる。
【００３５】
一方、例えば、ｔ＝Ｔ３〜Ｔ４のように、その電力供給を維持可能な時間内にユーザが電源スイッチ２０３のオフ／オンを素早く切り替えた場合、ゼロクロス検知部（前）２０４はゼロクロス検知信号（Ｚ１）を出力し続ける。これに対し、ゼロクロス検知部（後）２０５は電源スイッチ２０３のオフによって交流電源２０２からの電力供給が遮断されるため、ゼロクロス検知信号（Ｚ２）を出力することはない。従って、この場合には、電源スイッチ２０３の前後のゼロクロス検知信号（Ｚ１，Ｚ２）の差分（ＺＣＭＰ）がゼロではなくなる。このため。この差分（ＺＣＭＰ）がゼロであるかどうかを調べることにより、ユーザが電源スイッチを操作したか否かを判断することができる。
【００３６】
従って、ステップＳ１０４において、差分（ＺＣＭＰ）がゼロではない場合、処理はステップＳ１０６に進み、電源スイッチ（ＳＷ）２０３が切り替えられたと判断する。これに対して、差分（ＺＣＭＰ）がゼロである場合、処理はステップＳ１０３に進み、引き続き、電源スイッチ２０３の前後のゼロクロス検知信号（Ｚ１，Ｚ２）の出力を続ける。
【００３７】
次に、電源スイッチ２０３が切り替えられたと判断された後、処理はステップＳ１０７において、ゼロクロス比較部２０６はリセット信号（ＲＥＳＥＴ）を制御部２０７に出力する。さらに、ステップＳ１０８では、装置の再起動処理を実行する。
【００３８】
従って以上説明した実施例に従えば、ユーザが素早く電源スイッチがオフ／オンした際には、装置をリセットして適切に再起動させることができる。
【実施例２】
【００３９】
図５は実施例２に従う電源スイッチのオン／オフ制御を示すフローチャートである。
【００４０】
なお、図５において、図３に示した実施例１のフローチャートで説明したのと同じ処理ステップについては同じステップ参照番号を付し、その説明は省略する。
【００４１】
図６は実施例２に従う電源回路の各部の信号を示すタイムチャートである。
【００４２】
図６に示される信号は図４と同じなので、その説明は省略する。
【００４３】
この実施例では、電源スイッチをオンした後、ステップＳ１０２では、本体設定において、ユーザは電源スイッチ２０３をオフした後に発生するゼロクロス比較部２０６での比較結果信号（ＺＣＭＰ）のパルスを所定の数（Ｘ）だけ無視にする設定を行う。
【００４４】
そして、ステップＳ１０４では、２つのゼロクロス検知信号（Ｚ１，Ｚ２）の差分がゼロではないと判断された場合、処理はステップＳ１０５に進む。ステップＳ１０５では、２つのゼロクロス検知信号（Ｚ１，Ｚ２）の差分がゼロではない回数をカウントし、即ち、比較結果信号（ＺＣＭＰ）のパルスが発生した数が設定した閾値であるＸ以上になったかどうかを調べる。
【００４５】
図６では、Ｘ＝３と設定された例であり、比較結果信号（ＺＣＭＰ）のパルスが３回発生した場合に、ゼロクロス比較部２０６はリセット信号（ＲＥＳＥＴ）を発生する例を示している。
【００４６】
ここで、比較結果信号（ＺＣＭＰ）のパルスが発生した回数がＸ以上（閾値以上）であれば、処理はステップＳ１０６に進み、Ｘ未満（閾値未満）であれば、処理はステップＳ１０３に戻る。
【００４７】
従って以上説明した実施例に従えば、ユーザが電源スイッチを素早くオフ／オンした場合に、その回数が設定した閾値以上となった時のみ装置を再起動することができる。この場合、閾値回数未満のユーザによる操作では装置が再起動されないので、例えば、ユーザの誤操作などにより容易に装置が再起動されることが防止される。この場合、交流電源からの電源供給が切断される時間が長くなることもあるが、図６に示すように、平滑コンデンサ２０１の電圧が瞬断保護閾値（ＶＴＨ）以上を保証できる程度の閾値を設けることで、装置を正常に動作させることができる。
【実施例３】
【００４８】
図７は実施例２に従う電源スイッチのオン／オフ制御を示すフローチャートである。
【００４９】
なお、図７において、図３に示した実施例１のフローチャートで説明したのと同じ処理ステップについては同じステップ参照番号を付し、その説明は省略する。
【００５０】
図８は実施例３に従う電源回路の各部の信号を示すタイムチャートである。
【００５１】
図８に示される信号は図４と同じなので、その説明は省略する。
【００５２】
この実施例では、電源スイッチをオンした後、ステップＳ１０２Ａでは本体設定においてユーザは電源スイッチ２０３をオフ後に発生するゼロクロス比較部２０６での比較結果信号（ＺＣＭＰ）のパルスを所定の時間（Ｙ［ミリ秒］）だけ無視にする設定を行う。
【００５３】
そして、ステップＳ１０４では、２つのゼロクロス検知信号（Ｚ１，Ｚ２）の差分がゼロではないと判断された場合、処理はステップＳ１０５Ａに進む。ステップＳ１０５Ａでは、２つのゼロクロス検知信号（Ｚ１，Ｚ２）の差分がゼロではない時間、即ち、比較結果信号（ＺＣＭＰ）のパルスが発生した時間が設定した閾値であるＹ以上になったかどうかを調べる。
【００５４】
図８では、Ｙ＝１５［ミリ秒］と設定された例であり、比較結果信号（ＺＣＭＰ）のパルスがＹミリ秒以上にわたって発生した場合に、ゼロクロス比較部２０６はリセット信号（ＲＥＳＥＴ）を発生する例を示している。
【００５５】
ここで、比較結果信号（ＺＣＭＰ）のパルスが発生した時間がＹ以上（閾値以上）であれば、処理はステップＳ１０６に進み、Ｘ未満（閾値未満）であれば、処理はステップＳ１０３に戻る。
【００５６】
従って以上説明した実施例に従えば、電源スイッチを素早くオン／オフした際、その操作を行った長さが設定した閾値時間を超えた時のみ装置を再起動することができる。
【００５７】
なお、実施例１〜３において、瞬断時の電力供給を保持するために平滑コンデンサを使用しているが、本発明はこれによって限定されるものではなく、例えば、外部装置の無停電電源（ＵＰＳ）のような装置に置きかえる構成であってもよい。
【００５８】
また、実施例１〜３において、交流電源を使用するＭＦＰ装置において、電源スイッチ前後の交流電圧のゼロクロスを比較し、その比較結果から電力供給の切断がユーザ操作によるものか判別しているが、この構成を直流電源を使用する装置に適応させてもよい。この場合には、例えば、電源スイッチ前後の電圧や電流などを比較し、電力供給の切断がユーザ操作を判断する構成とすると良い。
【００５９】
さらに、以上説明した実施例では、ＭＦＰ装置を例として説明したが、本発明はこれによって限定されるものではない。例えば、単機能のプリンタ（画像形成装置）、また、通信機能を備えたファクシミリ装置、ネットワークを接続可能なネットワークプリンタなどの電子機器に本発明を適用してもよい。
【符号の説明】
【００６０】
１００  多機能プリンタ装置（ＭＦＰ装置）、
１０１  プリンタユニット（画像形成装置）、１２０  リーダユニット、
１３０  ＡＤＦユニット、２０７  ＡＣドライバ、２０８  低圧電源部
【図１】
2016010061.tif 000003
【図２】
2016010061.tif 000004
【図３】
2016010061.tif 000005
【図４】
2016010061.tif 000006
【図５】
2016010061.tif 000007
【図６】
2016010061.tif 000008
【図７】
2016010061.tif 000009
【図８】
2016010061.tif 000010